(57)【要約】  【課題】サーバ等のような所定の大きさの構造物が複数配置される場合に、それぞれの構造物の場所を容易に識別できるようにしてメンテナンス等の作業効率を向上させる。  【解決手段】所定の大きさの構造物が配置される配置場所が複数設けられている架体に取り付けられる識別テープ１０であって、配置場所の並び方向における長さ毎に色分けされた第１の領域１１と、第１の領域１１の隣に、２以上の第１の領域１１の長さ毎に色分けされた第２の領域１２とを備える。【選択図】図１
2015041023.tif 000002
【特許請求の範囲】
【請求項１】
所定の大きさの構造物が配置される配置場所が複数設けられている架体に取り付けられる識別テープであって、
前記配置場所の並び方向におけるそれぞれの前記配置場所の長さ毎に色分けされた第１の領域と、
前記第１の領域の隣に、２以上の前記配置場所の長さ毎に色分けされた第２の領域と
を備えることを特徴とする識別テープ。
【請求項２】
請求項１に記載の識別テープであって、
前記第１の領域を挟んで、前記第２の領域と反対側に、メモ領域がさらに設けられていることを特徴とする識別テープ。
【請求項３】
請求項１または２に記載の識別テープであって、
前記構造物は、サーバユニットであり、
前記架体は、サーバラックであり、
前記配置場所は、前記サーバユニットの１ユニットが収まる大きさの場所であることを特徴とする識別テープ。
【請求項４】
請求項３に記載の識別テープであって、
前記第１の領域には、前記配置場所の長さ毎に、前記サーバユニットのユニット番号が記載されていることを特徴とする識別テープ。
【請求項５】
請求項１から４のいずれか一項に記載の識別テープであって、
前記第１の領域または第２の領域が設けられた面の裏面の少なくとも一部には、粘着性の部材が塗布されていることを特徴とする識別テープ。
【請求項６】
請求項１から４のいずれか一項に記載の識別テープであって、
前記第１の領域または第２の領域には、前記配置場所の並び方向における前記配置場所の長さ毎に穴が設けられていることを特徴とする識別テープ。
【請求項７】
請求項１から６のいずれか一項に記載の識別テープであって、
当該識別テープの幅方向の長さは、前記配置場所の並び方向における前記配置場所の長さ以下であることを特徴とする識別テープ。
【請求項８】
請求項１から７のいずれか一項に記載の識別テープであって、
当該識別テープは、不燃性の材料で構成されていることを特徴とする識別テープ。
【発明の詳細な説明】
【技術分野】
【０００１】
本発明は、識別テープに関する。
【背景技術】
【０００２】
下記の特許文献１には、長手方向の一定間隔毎に標識が形成された粘着テープが開示されている。
【先行技術文献】
【特許文献】
【０００３】
【特許文献１】特開平１１−９２７２１号公報
【発明の概要】
【発明が解決しようとする課題】
【０００４】
ところで、サーバやルータ等は、規格で大きさが決められており、メーカー毎に印字や色が異なるものの、外観では区別がつき難い場合がある。また、同じメーカーのサーバ等がラックに複数設置されている場合には、外観のみではそれぞれの機器を区別することがさらに難しくなる。そのため、サーバ等のメンテナンスや交換を行う作業者は、誤って別の機器を取り外してしまうなどのミスを起こす場合があった。
【０００５】
サーバラックのフレームには、ユニットが設置されるそれぞれの位置毎にユニット番号が印字されている場合があるが、サーバラックより離れた位置からは印字されたユニット番号を判別することは難しく、また、サーバ等の機器が設置された状態ではユニット番号を確認することができない場合もある。
【０００６】
本発明は上記事情を鑑みてなされたものであり、本発明の目的は、サーバ等のような所定の大きさの構造物が複数配置される架体の作業において、それぞれの構造物の場所を容易に識別できるようにしてメンテナンス等の作業効率を向上させることにある。
【課題を解決するための手段】
【０００７】
上記課題を解決するための本発明の一態様は、例えば、所定の大きさの構造物が配置される配置場所が複数設けられている架体に取り付けられる識別テープであって、
前記配置場所の並び方向におけるそれぞれの前記配置場所の長さ毎に色分けされた第１の領域と、
前記第１の領域の隣に、２以上の前記配置場所の長さ毎に色分けされた第２の領域と
を備える。
【０００８】
また、上記の識別テープは、前記第１の領域を挟んで、前記第２の領域と反対側に、メモ領域がさらに設けられていてもよい。
【０００９】
また、上記した識別テープにおいて、
前記構造物は、サーバユニットであってもよく、
前記架体は、サーバラックであってもよく、
前記配置場所は、前記サーバユニットの１ユニットが収まる大きさの場所であってもよい。
【００１０】
また、上記した識別テープにおいて、
前記第１の領域には、前記配置場所の長さ毎に、前記サーバユニットのユニット番号が記載されていてもよい。
【００１１】
また、上記した識別テープにおいて、
前記第１の領域または第２の領域が設けられた面の裏面の少なくとも一部には、粘着性の部材が塗布されていてもよい。
【００１２】
また、上記した識別テープにおいて、
前記第１の領域または第２の領域には、前記配置場所の並び方向における前記配置場所の長さ毎に穴が設けられていてもよい。
【００１３】
また、上記した識別テープにおいて、
当該識別テープの幅方向の長さは、前記配置場所の並び方向における前記配置場所の長さ以下であってもよい。
【００１４】
また、上記した識別テープは、不燃性の材料で構成されていてもよい。
【発明の効果】
【００１５】
本発明の識別テープによれば、サーバ等のような所定の大きさの構造物が複数配置される架体の作業において、それぞれの構造物の場所を容易に識別できるようにしてメンテナンス等の作業効率を向上させることができる。
【図面の簡単な説明】
【００１６】
【図１】本発明の第１の実施形態における識別テープ１０の構造の一例を示す図である。
【図２】第１の実施形態における識別テープ１０の裏面の構造の一例を説明するための概念図である。
【図３】第１の実施形態における識別テープ１０が取り付けられるサーバラック２０内の位置の一例を説明するための概念図である。
【図４】第２の実施形態における識別テープ１０の構造の一例を示す図である。
【図５】第２の実施形態における識別テープ１０に設けられた余白１６の一例を説明するための概念図である。
【図６】第２の実施形態における識別テープ１０が取り付けられるサーバラック２０内の位置の一例を説明するための概念図である。
【図７】第２の実施形態における識別テープ１０が取り付けられるサーバラック２０内の詳細な位置の一例を説明するための概念図である。
【図８】第３の実施形態における識別テープ１０の構造の一例を示す図である。
【図９】第３の実施形態における識別テープ１０が取り付けられるサーバラック２０内の詳細な位置の一例を説明するための概念図である。
【図１０】識別テープ１０の構造の他の例を説明するための概念図である。
【図１１】識別テープ１０が好適な他の例を説明するための概念図である。
【発明を実施するための形態】
【００１７】
まず、本発明の第１の実施形態について、図面を参照しながら説明する。
【００１８】
図１は、本発明の第１の実施形態における識別テープ１０の構成の一例を示す図である。識別テープ１０には、第１の領域１１と、第２の領域１２と、メモ領域１３とが設けられる。第１の領域１１と、第２の領域１２と、メモ領域１３とは、帯状の識別テープ１０の幅方向に並べて配置される。
【００１９】
識別テープ１０は、所定の大きさの構造物が配置される配置場所が複数設けられている架体に取り付けられる。本実施形態において、所定の大きさの構造物とは、例えばサーバユニットであり、架体とは、例えばサーバラックである。
【００２０】
第１の領域１１は、識別テープ１０の長手方向の長さＬ1毎に小領域１１０を有しており、隣接する小領域１１０は異なる色で色分けされている。本実施形態において、長さＬ1は、例えばサーバユニットの１ユニットの高さ（例えば４．４５ｃｍ）である。
【００２１】
また、それぞれの小領域１１０は、例えば、長手方向に連続する所定数（例えば８つ）のグループ毎に、当該グループ内では異なる色で色分けされることが好ましい。また、それぞれの小領域１１０には、ユニット番号が記載されている。本実施形態では、Ｕ０１からＵ５０までのユニット番号が繰り返し記載されている。
【００２２】
第２の領域１２は、識別テープ１０の幅方向に第１の領域１１に隣接して設けられており、識別テープ１０の長手方向の長さＬ2毎に小領域１２０を有する。隣接する小領域１２０どうしは異なる色で色分けされている。本実施形態において、長さＬ2は、識別テープ１０の長手方向において、例えば第１の領域１１の小領域１１０の所定数（例えば８つ）分の長さである。
【００２３】
メモ領域１３は、識別テープ１０の幅方向に第１の領域１１に隣接すると共に、第１の領域１１を挟んで第２の領域１２と反対側に設けられる。メモ領域１３は、第１の領域１１内の小領域１１０毎に小領域１３０を有する。それぞれの小領域１３０の色は、作業者等がメモを記載することができるように、白であることが好ましい。
【００２４】
また、本実施形態において、識別テープ１０の幅Ｌ3は、例えばサーバユニットの１ユニットの高さ以下であることが好ましい。これにより、サーバラックに１ユニット分の隙間があれば、識別テープ１０を巻いたテープロールを置くことができるので、作業者による作業効率を向上させることができる。
【００２５】
また、本実施形態における識別テープ１０は、第１の領域１１内の８つの小領域１１０のそれぞれに異なる８色を割り当て、８つの小領域１１０毎に第２の領域１２内の小領域１２０を割り当て、小領域１２０を８色の異なる色で色分けする。これにより、８色×８色で６４個のサーバユニットを、色の組み合わせで一意に識別することができる。
【００２６】
なお、色は８種類以上であってもよいが、あまり多くの色を用いると、色の違いが分かり難くなってしまい、各領域の識別性が低下してしまうので好ましくない。また、区別すべき配置場所の数が少ない場合には、色の種類を８つ未満としてもよい。
【００２７】
図２は、第１の実施形態における識別テープ１０の裏面の構造の一例を説明するための概念図である。識別テープ１０は、図２（ａ）に示すように、表面に第１の領域１１、第２の領域１２、およびメモ領域１３が設けられ、裏面には、図２（ｂ）に示すように粘着性部材１４が塗布されており、その上から剥離紙１５が被せてある。
【００２８】
作業者は、例えば、必要な長さ分の識別テープ１０を切り取り、必要であれば床や作業台などの上でメモ領域１３にメモを記載した後、裏面の剥離紙１５を剥がして、粘着性部材１４が塗布された裏面をサーバラックのフレーム等に貼り付けて識別テープ１０を固定する。
【００２９】
なお、粘着性部材１４が塗布された識別テープ１０の裏面には剥離紙１５が被せられていなくてもよい。この場合、識別テープ１０は、図１とは逆巻きにロール状に巻かれ、その状態において、識別テープ１０の表面が裏面と接触することで剥離紙１５の役目を果たす。
【００３０】
また、粘着性部材１４は、必ずしも識別テープ１０の裏面全体に塗布されている必要は無く、長手方向に一定の間隔（例えが１ユニットの半分の長さ）で粘着性部材１４が塗布されていない領域が設けられていたり、識別テープ１０の裏面に識別テープ１０の幅よりも狭い範囲に粘着性部材１４が塗布されてもよい。これにより、作業者は、作業が終了した場合に、ラック等に貼り付けた識別テープ１０をラック等から容易に剥がすことができる。
【００３１】
また、識別テープ１０は、紙や布等で構成されてもよいが、より好ましくは、不燃性の材料で構成されてもよい。
【００３２】
図３は、第１の実施形態における識別テープ１０が取り付けられるサーバラック２０内の位置の一例を説明するための概念図である。識別テープ１０は、例えば図３（ａ）に示すように、必要な長さ分切り取られた後、裏面の剥離紙１５が剥がされて、例えば図３（ｂ）に示すようなサーバラック２０の内側フレーム２１に貼り付けられる。図３では、ユニット数が３０であり、所々に１または２ユニットのサイズのサーバが設置されているサーバラック２０が例示されている。
【００３３】
以上、本発明の第１の実施形態について説明した。
【００３４】
上記説明から明らかなように、本実施形態の識別テープ１０によれば、サーバ等のような所定の大きさの構造物が複数配置される架体の作業において、それぞれの構造物の場所を容易に識別できるようにしてメンテナンス等の作業効率を向上させることができる。
【００３５】
次に、本発明の第２の実施形態について、図面を参照しながら説明する。
【００３６】
図４は、第２の実施形態における識別テープ１０の構造の一例を示す図である。本実施形態の識別テープ１０には、第１の領域１１と、第２の領域１２とが設けられる。本実施形態において、識別テープ１０の裏面には、粘着性材料が塗布されていない。なお、以下に説明する点を除き、図４において、図１と同じ符号を付した構成は、図１における構成と同一または同様の機能を有するため説明を省略する。
【００３７】
本実施形態の識別テープ１０では、第１の領域１１内の各小領域１１０にＵ０１〜Ｕ５０のユニット番号が記載されており、Ｕ５０とＵ０１の小領域１１０の間には、図５に示すように、例えば１〜２ユニット分の余白１６が設けられている。
【００３８】
この余白１６は、例えば図６（ａ）に示すように折り曲げられて、サーバラック２０の外側フレーム２２に取り付けられる。なお、サーバラック２０のユニット数が５０であれば、Ｕ０１の手前の余白１６とＵ５０の次の余白１６とを折り曲げて固定部材により外側フレーム２２に固定することができる。一方、サーバラック２０のユニット数が５０未満であれば、識別テープ１０の上側は、余分な部分を折り曲げて作られた固定用の余白１７で外側フレーム２２に固定される。
【００３９】
折り曲げられた固定用の余白１７は、例えば図７（ａ）に示すように、磁石３０等の固定部材により、サーバラック２０の外側フレーム２２に固定される。また、下側で折り曲げられた余白１６についても、例えば図７（ｂ）に示すように、磁石３０等の固定部材により、サーバラック２０の外側フレーム２２に固定される。
【００４０】
本実施形態では、識別テープ１０をサーバラック２０に貼り付けないので固定できるので、サーバラック２０やサーバ４０を粘着性材料で汚すことなく作業を行うことができ、作業後も、サーバラック２０やサーバ４０に貼り付いた粘着材料を拭き取る作業などを省くことができる。
【００４１】
以上、本発明の第２の実施形態について説明した。
【００４２】
次に、本発明の第３の実施形態について、図面を参照しながら説明する。
【００４３】
図８は、第３の実施形態における識別テープ１０の構造の一例を示す図である。本実施形態の識別テープ１０には、第１の領域１１と、第２の領域１２と、メモ領域１３とが設けられる。本実施形態の識別テープ１０の裏面には、粘着性材料が塗布されていない。なお、以下に説明する点を除き、図８において、図１と同じ符号を付した構成は、図１における構成と同一または同様の機能を有するため説明を省略する。
【００４４】
本実施形態の識別テープ１０では、第１の領域１１内の各小領域１１０に穴１８が設けられている。それぞれの穴１８は、例えば図９に示すように、固定用フック３１などの固定部材を引っ掛けてサーバラック２０に固定するためのものである。なお、穴１８は、第２の領域１２内の小領域１２０やメモ領域１３内の小領域１３０に設けられてもよい。
【００４５】
ここで、Ｕ０２〜Ｕ５０までのユニット番号の小領域１１０に設けられた穴１８は、例えば図９（ａ）に示すように、外側フレーム２２に取り付けられた固定用フック３１によって上側から引っ掛けられるため、小領域１１０の上側に設けられた方が、小領域１１０が固定用フック３１等で隠される範囲を少なくすることができる点で好ましい。
【００４６】
一方、Ｕ０１のユニット番号の小領域１１０に設けられた穴１８は、例えば図９（ｂ）に示すように、外側フレーム２２に取り付けられた固定用フック３１によって下側から引っ掛けられるため、小領域１１０の上側に設けられた方が、小領域１１０が固定用フック３１等で隠される範囲を少なくすることができる点で好ましい。
【００４７】
なお、Ｕ０１のユニット番号の小領域１１０に設けられた穴１８に、重り付きのフックを引っ掛けて、識別テープ１０を吊るすようにしてもよい。これにより、識別テープ１０のしわや弛みを防止することができる。
【００４８】
また、それぞれの小領域１１０には、穴１８を２つずつ設け、２つの固定用フック３１で固定するようにしてもよい。これにより、識別テープ１０のねじれを防止することができる。
【００４９】
以上、本発明の第３の実施形態について説明した。
【００５０】
なお、本発明は、上記した実施形態に限定されるものではなく、その要旨の範囲内で数々の変形が可能である。
【００５１】
例えば、上記した各実施形態では、サーバユニットの最小の大きさを１ユニットとして、第１の領域１１内の小領域１１０を１ユニット単位で色分けしたが、本発明はこれに限られない。例えば、どのような構造物が、架体のどの位置に取り付けられているかという情報が既知である場合には、例えば図１０に示すように、第１の領域１１内の小領域１１０を、その位置に取り付けられる構造物の大きさ毎に色分けしてもよい。
【００５２】
この場合、所定数の小領域１１０毎に第２の領域１２内の小領域１２０を対応付け、メモ領域１３のそれぞれの小領域１３０は、対応する小領域１２０と同じ大きさにしてもよい。
【００５３】
また、上記した各実施形態では、同じ大きさのサーバユニットが複数取り付けられるサーバラックを例に説明したが、本発明はこれに限られず、同じような構造物が設けられる架体であれば、本発明の識別テープ１０を適用することができる。
【００５４】
例えば図１１に示すような、複数のケーブルを接続する接続パネル５０において、それぞれのケーブルを接続するポート５１の幅に合わせて第１の領域１１の小領域１１０を色分けした識別テープ１０を取り付けてもよい。
【００５５】
これにより、外観では区別し難い同じような形状のポート５１が複数設けられている接続パネル５０において、それぞれのポート５１を容易に識別することができ、別なポート５１に誤ってケーブルを挿したり、メンテナンス対象ではないポート５１のケーブルを誤って抜いてしまうような作業ミスが発生する確率を減らすことができる。
【００５６】
また、上記した各実施形態において、第１の領域１１内の各小領域１１０には、ユニット番号が記載されるが、本発明はこれに限られず、ユニット番号が記載されていなくてもよい。この場合であっても、色の組合せで各ユニットを容易に識別することができる。
【００５７】
また、上記した第１または第３の実施形態において、識別テープ１０には、メモ領域１３が設けられていなくてもよい。また、上記した第２の実施形態において、識別テープ１０には、メモ領域１３が設けられていてもよい。
【００５８】
また、第２または第３の実施形態において、識別テープ１０の裏面には粘着性部材１４が塗布されていてもよい。ただし、この場合は、粘着性部材１４が塗布された裏面を露出させない状態でも利用できるように、識別テープ１０の裏面は剥離紙１５で被われていることが好ましい。
【００５９】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００６０】
１０：識別テープ、１１：第１の領域、１１０：小領域、１２：第２の領域、１２０：小領域、１３：メモ領域、１３０：小領域、１４：粘着性部材、１５：剥離紙、１６：余白、１７：固定用の余白、１８：穴、２０：サーバラック、２１：内側フレーム、２２：外側フレーム、３０：磁石、３１：固定用フック、４０：サーバ、５０：接続パネル、５１：ポート
【図１】
2015041023.tif 000003
【図２】
2015041023.tif 000004
【図３】
2015041023.tif 000005
【図４】
2015041023.tif 000006
【図５】
2015041023.tif 000007
【図６】
2015041023.tif 000008
【図７】
2015041023.tif 000009
【図８】
2015041023.tif 000010
【図９】
2015041023.tif 000011
【図１０】
2015041023.tif 000012
【図１１】
2015041023.tif 000013